(57)【要約】【課題】試験対象設備の機能試験を遠隔操作にて行うことが可能な遠隔自動試験装置を提供する。【解決手段】通信ネットワーク２に接続された手段Ａ４、手段Ａ４と離隔して配置され、通信ネットワーク２を介して、手段Ａ４によって遠隔操作される手段Ｂ２−１〜ｎ、手段Ｂ２−１〜ｎから入力される試験入力５ａに基づき、試験対象設備１において機能試験が行われるとともに、試験入力５ａに対応して試験対象設備１から出力される試験出力５ｂが入力される手段Ｃ１−１〜ｎ、手段Ｃ１−１〜ｎと離隔して配置されるとともに、通信ネットワーク２を介して手段Ｃ１−１〜ｎに接続され、試験出力５ｂを遠隔操作によって確認する手段Ｄを備えた構成とする。【選択図】図４
2008172702.tif 000002
【特許請求の範囲】
【請求項１】
試験対象設備に対して機能試験を行う遠隔自動試験装置において、通信ネットワークに接続された手段Ａ、上記手段Ａと離隔して配置され、上記通信ネットワークを介して、上記手段Ａによって遠隔操作される手段Ｂ、上記手段Ｂから入力される試験入力に基づき、上記試験対象設備において機能試験が行われるとともに、上記試験入力に対応して上記試験対象設備から出力される試験出力が入力される手段Ｃ、上記手段Ｃと離隔して配置されるとともに、上記通信ネットワークを介して上記手段Ｃに接続され、上記試験出力を遠隔操作によって確認する手段Ｄを備えたことを特徴とする遠隔自動試験装置。
【請求項２】
予め設定されたタイミングで、予め設定された項目について、上記試験入力を自動的に発生させる試験入力パターンを、上記手段Ｂに、上記手段Ａから遠隔操作で入力するように構成したことを特徴とする請求項１記載の遠隔自動試験装置。
【請求項３】
上記試験出力を入力し、上記試験出力の判定、表示を行うとともに、上記試験出力を蓄積する手段Ｆを備えたことを特徴とする請求項１または請求項２記載の遠隔自動試験装置。
【請求項４】
複数の上記試験対象設備に対して、各々の上記試験対象設備に上記手段Ｂおよび上記手段Ｃを一つずつ接続配置し、一つの上記手段Ａによって複数の上記手段Ｂを遠隔操作し、一つの上記手段Ｄによって複数の上記手段Ｃを遠隔操作するように構成されたことを特徴とする請求項１または請求項２記載の遠隔自動試験装置。
【請求項５】
複数の上記試験対象設備から得た複数の上記試験出力を互いに対応付けて判定、表示するとともに、上記試験出力を蓄積する手段Ｆを備えたことを特徴とする請求項４記載の遠隔自動試験装置。
【発明の詳細な説明】
【技術分野】
【０００１】
この発明は、通信ネットワークを介して、試験対象設備の機能試験を遠隔で自動に実施する遠隔自動試験装置に関するものである。
【背景技術】
【０００２】
従来の試験装置として、ビル群管理システムにおける自動点検を行うものがあり、センタ装置および端末装置に予め点検機能を実装することで、センタ装置から各端末装置への自動点検信号により特定の機能項目について抜取り試験の形で点検を行うものであった（例えば、特許文献１参照）。
【０００３】
また、従来の試験装置として、ビル群管理システムにおけるアナログ入力の自動点検を行うものがあり、センタ装置および端末装置に予め模擬アナログ入力のための信号系統を設け、それを用いて自動点検を行うものであった（例えば、特許文献２参照）。
【０００４】
さらに、従来の試験装置として、遠方監視制御系の機能確認装置における試験機能を備えたものがあり、親局装置および各子局装置に予め運用データと試験データを区別して扱う機能を実装し、親局から各子局に対して試験データを送信し、試験を行うものであった（例えば、特許文献３参照）。
【０００５】
また、従来の試験装置として、遠方監視制御システムの試験装置があり、端末装置とは独立した試験装置を用いて、試験的に発生した異常発生情報を、試験装置側と監視装置側とで比較する機能を備えたものであった（例えば、特許文献４参照）。
【０００６】
【特許文献１】特開平４−２９００９９号公報
【特許文献２】特開平５−２０７５５１号公報
【特許文献３】特開昭６０−９４５９９号公報
【特許文献４】特開平５−１７４２８１号公報
【発明の開示】
【発明が解決しようとする課題】
【０００７】
従来の試験装置は、試験対象において試験を行うための点検機能を実装する必要があり、実際の運用で使用する信号そのものを使った試験ではないため、試験対象となる装置の機能全体の試験を行うことができないという問題点があった。
【０００８】
この発明は、上記のような課題を解決するためになされたものであり、試験対象となる設備装置の試験機能の実装状況に依存せず、試験対象の機能全体の試験が遠隔で可能となる遠隔自動試験装置を得ることを目的とする。
【課題を解決するための手段】
【０００９】
この発明に係わる遠隔自動試験装置は、試験対象設備に対して機能試験を行う遠隔自動試験装置において、通信ネットワークに接続された手段Ａ、上記手段Ａと離隔して配置され、上記通信ネットワークを介して、上記手段Ａによって遠隔操作される手段Ｂ、上記手段Ｂから入力される試験入力に基づき、上記試験対象設備において機能試験が行われるとともに、上記試験入力に対応して上記試験対象設備から出力される試験出力が入力される手段Ｃ、上記手段Ｃと離隔して配置されるとともに、上記通信ネットワークを介して上記手段Ｃに接続され、上記試験出力を遠隔操作によって確認する手段Ｄを備えたものである。
【発明の効果】
【００１０】
この発明の遠隔自動試験装置によれば、試験対象設備の全体の機能試験を遠隔で実施することが可能であり、試験対象設備の設置場所に試験員が出向く必要がなく、高効率に機能試験を行うことができるという効果がある。
【発明を実施するための最良の形態】
【００１１】
実施の形態１．
以下、この発明の実施の形態１を図１に基づいて説明する。図１は、遠隔自動試験装置の構成図であり、試験対象設備１と、試験対象設備１の機能試験を行うために必要な手段Ａ〜手段Ｄの関係を示す図である。
試験対象設備１は、例えば、一つの親局と複数の子局から構成される広域監視制御システムの子局に該当している。広域監視制御システムは、電力系統運用、道路管理、河川管理など広域に存在する監視対象を監視するシステムである。電力系統運用においては、各変電所が一つの試験対象設備１に相当し、各変電所における遮断機の入／切の状態、送電線の電圧値、電流値などが実際の監視対象となる。
【００１２】
図１に示すように、この発明による遠隔自動試験装置は、通信ネットワーク２に接続された手段Ａ（符号３で示す手段Ａ１）、手段Ａと離隔して配置され、通信ネットワーク２を介して、手段Ａによって遠隔操作される手段Ｂ（符号４で示す手段Ｂ１）、手段Ｂから入力される試験入力５ａに基づき、試験対象設備１において機能試験が行われるとともに、試験入力５ａに対応して試験対象設備１から出力される試験出力５ｂが入力される手段Ｃ（符号６で示す手段Ｃ１）、手段Ｃと離隔して配置されるとともに、通信ネットワーク２を介して手段Ｃに接続され、試験出力５ｂを遠隔操作によって確認する手段Ｄ（符号７で示す手段Ｄ１）を備えている。
【００１３】
ここで、試験入力５ａは、試験対象設備１への物理的なインプットを示しており、試験対象設備１の機能によって異なる内容となるが、例えば接点のＯＮ／ＯＦＦ状態、流れる電流の大きさ、電文の受信内容に相当するものである。
手段Ａ１は、汎用のＰＣ（パーソナルコンピュータ）などを適用することができ、手段Ａ１は手段Ｂ１にｔｅｌｎｅｔなどプロトコルによりリモートログインするよう構成される。なお、手段Ａ１以外から手段Ｂ１へアクセスできないよう、専用の通信ネットワーク２を使用したり、手段Ｂ１でアクセス制限を設けるなどしてセキュリティを確保することができる。
【００１４】
手段Ｂ１は、特定の他装置から通信ネットワーク２を介してリモートログイン可能な、汎用のＰＣやサーバを用いた試験装置である。通常の試験において、手段Ｂ１は試験対象設備１と対向して、試験対象設備１の近傍に設置され、入出力インタフェースを持つものにより構成される。
例えば、試験対象設備１が遠隔監視制御システムの子局の場合、入出力インタフェースとして、親局との通信インタフェース、監視対象設備との接点入出力、アナログ入出力を持ち、また、手段Ｂ１は、模擬親局や模擬監視対象設備の位置付けから通信インタフェース、接点出力、アナログ出力機能を持つ。この手段Ｂ１のような試験装置が、汎用のＰＣやサーバで構築されている場合、一般的に通信ネットワーク２を介して遠隔操作が可能となる。
【００１５】
手段Ｃ１は、試験対象設備１が遠隔監視制御システムの子局の場合、模擬親局や模擬監視対象設備の位置付けから、通信インタフェース、接点入力、アナログ入力機能を持つ。この手段Ｂ、手段Ｃのような自動試験装置は既に実現されており、この手段Ｃ１が汎用のＰＣやサーバで構築されている場合、一般的に通信ネットワーク２を介して遠隔から操作が可能となる。手段Ｃ１は、上述した手段Ｂ１と同一装置で実現可能な場合もある。
【００１６】
手段Ｄ１は、汎用のＰＣなどを適用することができ、手段Ｃ１にｔｅｌｎｅｔなどの通信ネットワーク２によりリモートログインすることができる。なお、手段Ｄ１以外から手段Ｃ１へアクセスできないよう、専用の通信ネットワークを使用したり、手段Ｃ１でアクセス制限を設けるなどしてセキュリティを確保することができる。手段Ｄ１は、上記手段Ａ１と同一装置で実現可能な場合もある。
【００１７】
次に、試験対象設備１に対して行う、機能試験の内容について説明する。例えば、試験対象設備１が遠隔監視制御システムの子局の場合、子局は多数のデジタル入力回路、アナログ入力回路を備えており、通信により、多数のＯＮ／ＯＦＦの状態および計測値等を、通信ネットワーク２を通じてデータ（電文）として親局へ送信することが基本機能となる。よって、この子局における機能試験では、子局の各デジタル入力回路やアナログ入力回路に対して、所定の伝送手順や伝送フォーマットで正しく親局へ送信しようとしているかどうかを、基本的な試験として実施し、確認するものである。
【００１８】
次に動作について説明する。
手段Ｂ１、Ｃ１を予め試験対象設備１の近傍に設置し、試験対象設備１と必要な接続を行った後、手段Ａ１から手段Ｂ１に、手段Ｄ１から手段Ｃ１にリモートログインする。
試験員は、手段Ａ１を操作して、手段Ｂ１をから試験入力５ａを出力し、試験対象設備１へ試験入力５ａを入力し、この試験入力５ａの入力にともなって、試験対象設備１において上述したような機能試験が行われる。試験員は手段Ｄ１を操作して手段Ｃ１にアクセスし、試験出力５ｂを確認することができ、遠隔操作による試験対象設備１の機能試験を実施することができる。
【００１９】
この発明の遠隔自動試験装置によれば、試験対象設備１の実運用に用いる信号そのものを用いて、試験対象設備全体の機能試験を遠隔で実施することが可能であり、試験対象設備１の設置場所に試験員が出向く必要がなく、高効率に機能試験を行うことができるという効果がある。
【００２０】
実施の形態２．
次に、この発明の実施の形態２について、図２に遠隔自動試験装置の構成図を示して説明する。上述の実施の形態１では、手段Ｂ１により単純に遠隔操作による試験が可能となる場合について述べたが、この実施の形態２では、図２に示すように、予め設定されたタイミングで、予め設定された項目について、試験入力５ａを自動的に発生させる試験入力パターン８（手段Ｅ２）を、手段Ｂ（符号４１で示す手段Ｂ２）に、手段Ａ（手段Ａ１）から遠隔操作で入力するように構成している。
【００２１】
手段Ａ１から遠隔操作で手段Ｂ２に設定された試験入力パターン８（手段Ｅ２）に基づき、試験対象設備１へ入力される試験入力５ａを出力する手段Ｂ２を設け、予め設定した項目およびタイミングで自動的に試験入力５ａを発生させることによる試験作業の正確化、効率化が可能となる。
自動試験装置では、一般的に試験パターンをデータベースに予め設定しておき、その内容に基づいて試験を自動的に行っているが、この実施の形態２においては、これをリモートログインにより実施することができる。また、試験入力パターン８に変更や修正が有る場合に、手段Ａ１からの遠隔操作で、柔軟に変更、修正を行うことができるという利点がある。
【００２２】
実施の形態３．
次に、この発明の実施の形態３について図３を用いて説明する。上述の実施の形態２では、手段Ｂ２、手段Ｅ２により予め設定した項目およびタイミングで自動的に試験入力５ａを発生させる場合について述べたが、この実施の形態３では、図３に示すように、試験出力５ｂｂを手段Ｄから入力し、試験出力５ｂｂの判定、表示を行うとともに、試験出力５ｂｂを蓄積する手段Ｆ（符号９で示す手段Ｆ３）を備えている。
【００２３】
手段Ｆ３は、試験入力５ａに対応付けられた試験出力５ｂｂを解析することで試験出力５ｂｂ（試験結果）を評価、判定する演算機能と、試験結果を表示する表示機能と、試験結果の蓄積を行う蓄積機能とを備えている。そのため、試験対象設備１における試験結果のデータ管理が容易となり、試験作業の正確化、効率化が可能となる。
この手段Ｆ３は、上述した手段Ａ１、手段Ｄ１と同一装置で実現可能な場合もある。
【００２４】
なお、手段Ｆ３には、手段Ａ１から試験入力５ａａが入力され、試験出力５ｂｂと対応付けられる構成となっている。試験出力５ｂｂのデータには試験入力５ａのデータが含まれており、試験入力５ａに基づく試験出力５ｂを手段Ｄで確認できることから、手段Ａ１から手段Ｆ３へ試験入力５ａａを出力することを省略した構成とすることも可能である。しかし、通信ネットワーク２、手段Ｂ２、試験対象設備１、手段Ｃ１、手段Ｄ１を介して伝達される試験出力５ｂｂが持つ試験入力５ａのデータと、手段Ａ１から直接伝達される試験入力５ａａのデータが合致するかどうか、試験の正確さを確認する上で、試験入力５ａａを手段Ｆ３に入力することは有効である。
【００２５】
実施の形態４．
次に、この発明の実施の形態４について図４を用いて説明する。上述の実施の形態３では、試験対象設備１が１つである場合について述べたが、図４に示すように、複数の試験対象設備１〜ｎ（符号１ａ〜１ｎで示す）に対して、各々の試験対象設備１〜ｎに手段Ｂ２−１〜ｎ（手段Ｂに相当し、符号４ａ〜４ｎで示す。）および手段Ｃ１−１〜ｎ（手段Ｃに相当し、符号６ａ〜６ｎで示す。）を一つずつ接続配置し、一つの手段Ａ（符号３１で示す手段Ａ４）によって複数の手段Ｂを遠隔操作し、一つの手段Ｄ（符号７１で示す手段Ｄ４）によって複数の手段Ｃを遠隔操作するように構成して運用することも可能である。
【００２６】
複数の試験対象設備１〜ｎが存在する場合でも、手段Ａ４により通信ネットワーク２を介して、手段Ｂ２−１〜ｎにリモートログインし、遠隔操作で試験パターン８ａ〜８ｎ（手段Ｅ２−１〜Ｅ２−ｎ）の設定を行うことができる。また、手段Ｂにより試験対象設備１〜ｎのそれぞれに試験パターン８ａ〜８ｎが入力され、試験対象設備１において機能試験を行った後、試験出力が手段Ｃ１−１〜ｎにそれぞれ伝達される。また、手段Ｄ４から通信ネットワーク２を介して手段Ｃ１−１〜ｎにリモートログインでき、複数の試験対象設備１〜ｎからの複数の試験出力を得、手段Ｄ４から手段Ｆ４（手段Ｆに相当し、符号９１で示す。）に、試験出力が伝達され、手段Ｆ４において、試験対象設備１〜ｎ毎に試験出力（試験結果）の評価、判定が行われるとともに、試験出力の評価、判定等、試験機能に関するデータの表示がなされ、その試験結果のデータが蓄積される。
【００２７】
このように、手段Ａ４によって複数の手段Ｂ２−１〜ｎに与える試験パターンに修正がある場合においても、遠隔操作で修正を行うことが可能であり、また、試験入力に基づく試験出力を試験対象設備１〜ｎ毎に、自動的に対応付けた表示、試験結果の判定、および蓄積を行う手段Ｆ４を設けることにより、複数の試験対象設備１〜ｎに対して、並行して機能試験を行うことが可能となるため試験作業の正確化、効率化が可能となる。
【００２８】
実施の形態５．
上述の実施の形態４では、図４の手段Ｆ４において、試験対象設備１〜ｎ毎に、試験出力の処理（試験入力と試験出力を対応付けて、評価、判定する処理）を行うことについて示した。この実施の形態５では、図４の手段Ｆ４（手段Ｆ）において、複数の試験対象設備１〜ｎから得た複数の試験出力を互いに対応付けて判定、表示するとともに、試験出力を蓄積する場合について示す。
【００２９】
手段Ｆ４において、試験対象設備１〜ｎ間で、試験入力と試験出力の対応付け方法を任意に設定した上で、試験入力と試験出力を自動的に対応付けることにより、複数の試験対象設備１〜ｎの総合的な試験結果の判定、表示および試験結果の蓄積を行うことが可能となる。また、ある試験対象設備への試験入力に対する、別の試験対象設備の試験出力を自動的に対応付けることも可能となり、複数の試験対象設備１〜ｎに亘る組合せ試験作業の正確化、効率化が可能となる。
【図面の簡単な説明】
【００３０】
【図１】この発明の実施の形態１における試験対象設備の機能試験を実施するための遠隔自動試験装置を示した構成図である。
【図２】この発明の実施の形態２における遠隔自動試験装置を示した構成図である。
【図３】この発明の実施の形態３における遠隔自動試験装置を示した構成図である。
【図４】この発明の実施の形態４、実施の形態５における遠隔自動試験装置を示した構成図である。
【符号の説明】
【００３１】
１  試験対象設備                      ２  通信ネットワーク
５ａ、５ａａ  試験入力                ５ｂ、５ｂｂ  試験出力。
【図１】
2008172702.tif 000003
【図２】
2008172702.tif 000004
【図３】
2008172702.tif 000005
【図４】
2008172702.tif 000006